(57)【特許請求の範囲】
【請求項１】
縦方向および横方向と、身体側およびその反対側と、前ウエスト域と、後ウエスト域と、前記前後ウエスト域間に位置するクロッチ域とを含むシャーシと、前記前後ウエスト域を前記横方向に収縮可能に弾性化するウエスト弾性要素と、前記クロッチ域を前記縦方向に収縮可能に弾性化するレッグ弾性要素とを含み、前記前後ウエスト域の両側縁部を互いに接合して他の領域よりも剛性の高いサイドシーム部を形成し、ウエスト開口およびレッグ開口が形成される使い捨て着用物品において、
前記レッグ弾性要素は、弾性シートによって形成され、その両端部の少なくともいずれか一方は、前記両側縁部に重なって配置されて他の領域よりも高剛性とされ、
前記前後ウエスト域は、前記レッグ弾性要素と重なった領域の前記クロッチ域側が、前記横方向外側に広がり、
前記ウエスト弾性要素は、前記ウエスト開口に沿って取り付けられるエラストマー弾性糸によって形成される第１ウエスト弾性糸と、前記第１ウエスト弾性糸よりも前記クロッチ域側に位置し弾性シートによって形成されるウエスト弾性シートとを含み、
前記ウエスト弾性シートは、前記前ウエスト域において、前記レッグ弾性要素と重なり、前記後ウエスト域において、前記レッグ弾性要素と重なることなく前記レッグ弾性要素と前記第１ウエスト弾性糸との間に取り付けられていることを特徴とする前記使い捨て着用物品。
【請求項２】
前記シャーシの前記身体側には、前記クロッチ域から前記前後ウエスト域へ延びる吸液構造体が配置されており、
前記前ウエスト域に位置する前記ウエスト弾性シートは、前記吸液構造体と前記シャーシとの間に位置し、前記後ウエスト域に位置する前記ウエスト弾性シートは、前記吸液構造体の前記身体側に位置する請求項１記載の使い捨て着用物品。
【請求項３】
前記シャーシの前記身体側には、前記クロッチ域から前記前後ウエスト域へ延びる吸液構造体が配置されており、
前記吸液構造体は、前記横方向に離間対向して前記縦方向に延びる一対のサイドフラップを有し、
前記サイドフラップには、前記縦方向に延びる複数条の第１カフ弾性要素および第２カフ弾性要素が収縮可能に取り付けられ、
前記第１カフ弾性要素は、前記クロッチ域から前記前後ウエスト域へ延び、第２カフ弾性要素は、前記第１カフ弾性要素の前記横方向の外側に位置し、前記クロッチ域の前記縦方向における中央部にのみ取り付けられる請求項１または２に記載の使い捨て着用物品。
【請求項４】
前記第１カフ弾性要素は、前記前後ウエスト域の前記ウエスト弾性シートと、平面視において重なる位置まで延びる請求項３記載の使い捨て着用物品。
【請求項５】
前記レッグ弾性要素は、前記前ウエスト域から前記クロッチ域に延びる前レッグ弾性要素と、前記後ウエスト域から前記クロッチ域に延びる後レッグ弾性要素とを有する請求項１〜４のいずれかに記載の使い捨て着用物品。
【請求項６】
前記前後レッグ弾性要素は、それぞれ異なるギアピッチによって延伸処理された伸縮性繊維不織布からなる請求項５記載の使い捨て着用物品。
【請求項７】
前記シャーシは、前記反対側に位置する外面シートを有し、前記外面シートは、捲縮繊維を含むとともに、前記外面シートの全域に多数の熱圧着部が形成される請求項１〜６のいずれかに記載の使い捨て着用物品。
【請求項８】
前記外面シートは、前記前ウエスト域に配置される第１外面シートと、前記後ウエスト域に配置される第２外面シートとを有し、
前記シャーシは、前記第１および第２外面シートを連結し、前記クロッチ域の一部を構成する中間シートと、前記中間シートの全体を被覆し、前記クロッチ域から前記前後ウエスト域へ延びる固定シートとを含む請求項７記載の使い捨て着用物品。
【請求項９】
前記レッグ弾性要素は、エラストマー繊維を含む伸縮性繊維不織布によって形成される請求項１〜８のいずれかに記載の使い捨て着用物品。
【請求項１０】
前記シャーシと前記レッグ弾性要素とは、前記サイドシーム部によって互いに接合される請求項１〜９のいずれかに記載の使い捨て着用物品。
【請求項１１】
前記ウエスト弾性要素は、前記レッグ弾性要素に重なるとともに前記横方向に延びるエラストマー弾性糸によって形成される第２ウエスト弾性糸を含む請求項１〜１０のいずれかに記載の使い捨て着用物品。
【発明の詳細な説明】
【技術分野】
【０００１】
本発明は、使い捨て着用物品に関し、より詳しくは、ウエスト域に伸縮性シートを用いた使い捨ておむつ、使い捨てのトイレット・トレーニングパンツ、使い捨て失禁パンツ、使い捨ての生理用パンツ等の使い捨て着用物品に関する。
【背景技術】
【０００２】
従来、前後ウエスト域に伸縮性シートを用い、前後ウエスト域を横方向に弾性化した使い捨ておむつは公知である。例えば、特許文献１には、使い捨ておむつの外装体を非伸縮性シートからなる内装シートと、伸縮性シートからなる外装シートとによって構成することが開示されている。
【先行技術文献】
【特許文献】
【０００３】
【特許文献１】特開２００６−３４６４３９公報（ＪＰ  ２００６−３４６４３９  Ａ）
【発明の概要】
【発明が解決しようとする課題】
【０００４】
上記のような特許文献１では、前後ウエスト域では、その両側縁部が接合されてウエスト開口およびレッグ開口が形成されているが、両側縁部はほぼ平行に縦方向に延びている。このようなおむつは、着用時におむつ内からレッグ開口が確認し難く、両側縁部の下端部分に脚を引っかけてしまう可能性があった。
【０００５】
この発明では、シャーシの前後ウエスト域であって、そのクロッチ域側では、両側縁部が横方向外側に向かって広がっている使い捨て着用物品を提供することを課題とする。
【課題を解決するための手段】
【０００６】
本発明は、縦方向および横方向と、身体側およびその反対側と、前ウエスト域と、後ウエスト域と、前記前後ウエスト域間に位置するクロッチ域とを含むシャーシと、前記前後ウエスト域を前記横方向に収縮可能に弾性化するウエスト弾性要素と、前記クロッチ域を前記縦方向に収縮可能に弾性化するレッグ弾性要素とを含み、前記前後ウエスト域の両側縁部を互いに接合して他の領域よりも剛性の高いサイドシーム部を形成し、ウエスト開口およびレッグ開口が形成される使い捨て着用物品の改良にかかわる。
【０００７】
本発明の特徴は、前記レッグ弾性要素は、弾性シートによって形成され、その両端部の少なくともいずれか一方は、前記両側縁部に重なって配置されて他の領域よりも高剛性とされ、前記前後ウエスト域は、前記レッグ弾性要素と重なった領域の前記クロッチ域側が、前記横方向外側に広がり、前記ウエスト弾性要素は、前記ウエスト開口に沿って取り付けられるエラストマー弾性糸によって形成される第１ウエスト弾性糸と、前記第１ウエスト弾性糸よりも前記クロッチ域側に位置し弾性シートによって形成されるウエスト弾性シートとを含み、前記ウエスト弾性シートは、前記前ウエスト域において、前記レッグ弾性要素と重なり、前記後ウエスト域において、前記レッグ弾性要素と重なることなく前記レッグ弾性要素と前記第１ウエスト弾性糸との間に取り付けられていることにある。
【０００８】
この発明の実施形態のひとつとして、前記シャーシの前記身体側には、前記クロッチ域から前記前後ウエスト域へ延びる吸液構造体が配置されており、前記前ウエスト域に位置する前記ウエスト弾性シートは、前記吸液構造体と前記シャーシとの間に位置し、前記後ウエスト域に位置する前記ウエスト弾性シートは、前記吸液構造体の前記身体側に位置する。
【０００９】
他の実施形態のひとつとして、前記シャーシの前記身体側には、前記クロッチ域から前記前後ウエスト域へ延びる吸液構造体が配置されており、前記吸液構造体は、前記横方向に離間対向して前記縦方向に延びる一対のサイドフラップを有し、前記サイドフラップには、前記縦方向に延びる複数条の第１カフ弾性要素および第２カフ弾性要素が収縮可能に取り付けられ、前記第１カフ弾性要素は、前記クロッチ域から前記前後ウエスト域へ延び、第２カフ弾性要素は、前記第１カフ弾性要素の前記横方向の外側に位置し、前記クロッチ域の中央部にのみ取り付けられる。
【００１０】
他の実施形態のひとつとして、前記第１カフ弾性要素は、前記前後ウエスト域の前記ウエスト弾性シートと、平面視において重なる位置まで延びる。
他の実施形態のひとつとして、前記レッグ弾性要素は、前記前ウエスト域から前記クロッチ域に延びる前レッグ弾性要素と、前記後ウエスト域から前記クロッチ域に延びる後レッグ弾性要素とを有する。
他の実施形態のひとつとして、前記前後レッグ弾性要素は、それぞれ異なるギアピッチによって延伸処理された伸縮性繊維不織布からなる。
【００１１】
他の実施態様のひとつとして、前記レッグ弾性要素は、エラストマー繊維を含む伸縮性繊維不織布によって形成される。
【００１２】
他の実施態様のひとつとして、前記シャーシと前記レッグ弾性要素とは、前記サイドシーム部によって互いに接合される。
【００１３】
他の実施態様のひとつとして、前記ウエスト弾性要素は、前記レッグ弾性要素に重なるとともに前記横方向に延びるエラストマー弾性糸によって形成される第２ウエスト弾性糸を含む。
【００１４】
他の実施態様のひとつとして、前記シャーシは、前記反対側に位置する外面シートを有し、前記外面シートは、捲縮繊維を含むとともに、前記外面シートの全域に多数の熱圧着部が形成される。
他の実施形態のひとつとして、前記外面シートは、前記前ウエスト域に配置される第１外面シートと、前記後ウエスト域に配置される第２外面シートとを有し、前記シャーシは、前記第１および第２外面シートを連結し、前記クロッチ域の一部を構成する中間シートと、前記中間シートの全体を被覆し、前記クロッチ域から前記前後ウエスト域へ延びる固定シートとを含む。
【発明の効果】
【００１５】
本発明の特にそのひとつ以上の実施態様によれば、弾性シートによって形成されたレッグ弾性要素の端部が、シャーシの側縁に重なって取り付けられるので、この重なった部分では、その剛性が高くなる。前後ウエスト域をウエスト弾性要素によって横方向に収縮させると、レッグ弾性要素の縦方向のウエスト開口側が強く収縮され、相対的にレッグ開口側が弱く収縮される。したがって、弾性シートはレッグ開口側に向かって横方向外側に広がり、レッグ開口を大きくすることができる。レッグ開口を大きくすることによって、これを認識し易く、着用する際に、着用者の脚が引っかかるのを防止することができる。
【図面の簡単な説明】
【００１６】
【図１】本発明の使い捨て着用物品の一例である第１の実施形態にかかる使い捨ておむつの斜視図。
【図２】おむつの一部破断展開図。
【図３】おむつの分解斜視図。
【図４】図２のＩＶ−ＩＶ線模式断面図。
【図５】第２の実施形態にかかるおむつの斜視図。
【図６】図５のおむつの一部を示した説明図。
【図７】比較例のおむつの一部破断展開図。
【図８】図７のおむつの分解斜視図。
【図９】（ａ）〜（ｅ）  着用者ａ〜ｅの紅斑指数の測定結果を示したグラフ。
【発明を実施するための形態】
【００１７】
＜第１の実施形態＞
図１は、本発明の第１の実施形態に係る使い捨て着用物品の一例として示す、使い捨ておむつ１の斜視図、図２は、おむつ１の一部破断展開平面図、図３は、おむつ１の分解斜視図、図４は、図２のＩＶ−ＩＶ線模式断面図である。おむつ１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。図２〜図４は、各弾性要素をその収縮力に抗して伸長させた状態を例示したものである。
【００１８】
おむつ１は、着用者の身体側およびその反対側である着衣側と、おむつ１の外形を形成するシャーシ１０と、シャーシ１０の身体側に位置する吸液構造体３０とを含む。
【００１９】
おむつ１は前ウエスト域２と、後ウエスト域３と、前後ウエスト域２，３間に位置するクロッチ域４と、互いに仮想横中心線Ｑ−Ｑに関して対向し、横方向Ｘに延びる前後端部５，６と、互いに仮想縦中心線Ｐ−Ｐに関して対向し、縦方向Ｙへ延びる両側縁部とを有する。両側縁部は、前ウエスト域２に位置する前側縁部７ａと、後ウエスト域３に位置する後側縁部７ｂと、クロッチ域４に位置するクロッチ側縁部７ｃとを有する。
【００２０】
前後側縁部７ａ，７ｂは、各弾性要素の伸長状態において、仮想縦中心線Ｐ−Ｐにほぼ平行に延びるとともに、クロッチ側縁部７ｃは、着用者の大腿部に沿ってフィットするように凹曲状に形成されている。前側縁部７ａと後側縁部７ｂとは、縦方向Ｙに間欠的に延びるサイドシーム部８によって連結され、ウエスト開口および一対のレッグ開口が形成されている。
【００２１】
シャーシ１０は、着衣側に位置し、前ウエスト域２とクロッチ域４の一部を形成する略台形状の第１外面シート１１と、後ウエスト域３とクロッチ域４の一部を形成する略台形状の第２外面シート１２とを有する。第１および第２外面シート１１，１２の内面には、着衣側外部から視認可能なグラフィック（図示せず）などが印刷されたグラフィック表示フィルム１７，１８が取り付けられている。
【００２２】
第１および第２外面シート１１，１２は、繊維不織布から形成されている。第１および第２外面シート１１，１２は、それぞれ複数層から形成されていてもよいが、その場合には、少なくともその外面に位置する繊維層が捲縮するスパンボンドフィラメント繊維から形成されていることが好ましい。第１および第２外面シート１１，１２として、捲縮繊維を用いた場合には、捲縮繊維が伸縮し、弾性伸縮性を有するので、着用者に密着し易く、肌触りも良好なものとすることができる。
【００２３】
シャーシ１０は、さらに第１および第２外面シート１１，１２を連結しクロッチ域４の一部を構成する中間シート１３を有する。中間シート１３は、第１および第２外面シート１１，１２側に位置する略矩形の繊維不織布シート１５と、その反対側に位置するとともに、繊維不織布シート１５とほぼ同形同大の透湿性かつ不透液性のプラスチックシート１６とがホットメルト接着剤（図示せず）を介して接合されて形成されている。このような中間シート１３全体を被覆する繊維不織布製の固定シート１４が、プラスチックシート１６に積層されて取り付けられている。固定シート１４は、中間シート１３よりも幅広であるとともに、クロッチ域４から後ウエスト域３に位置している。中間シート１３および固定シート１４は、第１および第２外面シート１１，１２と同様に、捲縮繊維からなるスパンボンド繊維不織布から形成してもよいし、弾性的に非伸縮性のエアスルー繊維不織布などから形成してもよい。
【００２４】
前ウエスト域２は、前端部５に沿って第１外面シート１１が内方へ向かって折り返された前エンドフラップ１９を有する。後ウエスト域３は、後端部６に沿って、第２外面シート１２が内方へ向かって折り返された後エンドフラップ２１を有する。
【００２５】
上記のようなシャーシ１０の身体側には、クロッチ域４から前後ウエスト域２，３へと延びる吸液構造体３０が配置されている。吸液構造体３０は、横方向Ｘに延びる前後端縁３１，３２と、縦方向Ｙに延びる両側縁３３とによって画成された縦長方形状である。前端縁３１は、第１外面シート１１に位置し、後端縁３２は、第２外面シート１２に位置し、これら前後端縁３１，３２の間の中間部分は中間シート１３に位置している。
【００２６】
吸液構造体３０は、フラッフパルプと超吸収性ポリマー粒子等との混合からなる吸液性コアを液拡散性シート（図示せず）で覆うことによって形成された吸液性芯材３４と、吸液性芯材３４の吸収面を覆う身体側ライナ３５と、吸液性芯材３４の底面を覆う被覆シート３６と、被覆シート３６と吸液性芯材３４との間に位置しプラスチック材料から形成された防漏シート３７とを含む。
【００２７】
被覆シート３６は、吸液性芯材３４の両側縁から横方向Ｘの外方に延びるとともに、その一部が仮想縦中心線Ｐ−Ｐ側に向かって折り返され、一対のスリーブ状のサイドフラップ３８，３８を形成している。サイドフラップ３８，３８内には、縦方向Ｙに延びるエラストマーからなるストランド状の第１および第２カフ弾性要素３９，４０がホットメルト接着剤を介して収縮可能に接合されている。横方向Ｘ内側に位置する複数条の第１カフ弾性要素３９は、クロッチ域４から前後ウエスト域２，３に延びている。これら第１カフ弾性要素３９の収縮作用によって、被覆シート３６の両側部が身体側ライナ３５から離間してバリアまたはガスケットカフを形成し、排泄物の横漏れを防止することができる。第１カフ弾性要素３９の横方向Ｘ外側に位置する複数条の第２カフ弾性要素４０は、クロッチ域４の中央部にのみ取り付けられ、着用者の鼠径部に沿って延びる弾性帯を形成している。吸液構造体３０は、被覆シート３６の外面が、ホットメルト接着剤（図示せず）を介してシャーシ１０の内面に固定されている。
【００２８】
上記のようなおむつ１の前後ウエスト域２，３を横方向Ｘに弾性化するウエスト弾性要素として、ウエスト開口に沿って取り付けられる第１前後ウエスト弾性糸２０，２２および前後ウエスト弾性シート５１，５２が取り付けられている。第１前後ウエスト弾性糸２０，２２は、複数条のエラストマー弾性糸によって形成され、折り返しによって形成された前後エンドフラップ１９，２１内であって前後端部５，６沿いに、ホットメルト接着剤（図示せず）によって収縮可能に取り付けられている。
【００２９】
前後ウエスト弾性シート５１，５２は、エラストマー繊維を含む伸縮性繊維不織布によって形成されている。前ウエスト域２に位置する前ウエスト弾性シート５１は、吸液構造体３０の底面と、第１外面シート１１との間に位置し、横方向Ｘに伸長状態で収縮可能に取り付けられている。前ウエスト弾性シート５１は、その外面が図示しないホットメルト接着剤等の接着手段によって、第１外面シート１１に接合されるとともに、その内面は、被覆シート３６に接合されている。
【００３０】
後ウエスト域３に位置する後ウエスト弾性シート５２は、吸液構造体３０の吸収面側に位置し、横方向Ｘに伸長状態で収縮可能に取り付けられている。後ウエスト弾性シート５２は、吸液構造体３０の後端縁３２を覆うように、後端縁３２から縦方向Ｙ外側に延出して重なるとともに、両側縁３３から横方向Ｘ外側にも延出している。吸液構造体３０の横方向Ｘ外側では、その全域において図示しないホットメルト接着剤等の接合手段によって、後ウエスト弾性シート５２と第２外面シート１２とが互いに接合されている。前後ウエスト弾性シート５１，５２の両側縁は、第１および第２外面シート１１，１２の両側縁と重なっている。
【００３１】
第１および第２外面シート１１，１２が折り返された前後エンドフラップ１９，２１は、前後ウエスト弾性シート５１，５２の内面に接合される。前エンドフラップ１９は、その内側端縁１９ａが吸液構造体３０の前端縁３１を覆い、その全域において前ウエスト弾性シート５１および吸液構造体３０に図示しないホットメルト接着剤等の接着手段によって接合される。吸液構造体３０の前端縁３１を第１外面シート１１で覆い接合することによって、吸液性芯材３４のフラッフパルプ等が零れ落ちるのを防止している。
【００３２】
後エンドフラップ２１は、その内側端縁２１ａが後ウエスト弾性シート５２に僅かに重り、その全域において図示しないホットメルト接着剤等の接合手段によって接合される。
【００３３】
上記のような構成のおむつ１において、前後ウエスト弾性シート５１，５２は、前後ウエスト域２，３の一方の側縁７ａ，７ｂから他方の側縁７ａ，７ｂに亘って、横方向Ｘに伸長状態で収縮可能に取り付けられているので、前後ウエスト域２，３のほぼ全域を着用者にフィットさせることができる。また、弾性糸を間欠的に配置した場合には、これら弾性糸の間で収縮されない部分ができてしまうが、前後ウエスト弾性シート５１，５２を用いることで収縮されない部分を形成することなく、より広い範囲で着用者にフィットさせることができるので、おむつ１のずり下がりを防止することができる。
【００３４】
第１および第２外面シート１１，１２の内面には、クロッチ域４側であってクロッチ側縁部７ｃに沿って、前後レッグ弾性要素２３，２４がホットメルト接着剤（図示せず）によって収縮可能に取り付けられている。前後レッグ弾性要素２３，２４は、エラストマー繊維を含む伸縮性繊維不織布等の弾性シートによって形成されている。前レッグ弾性要素２３の一部および後レッグ弾性要素２４の全体の内面側には、固定シート１４が積層され、これら弾性要素が固定されている。このような前後レッグ弾性要素２３，２４によって、レッグ開口を着用者に密着させることができる。
【００３５】
クロッチ側縁部７ｃに沿って取り付けられた前レッグ弾性要素２３の一方の端部２３ａは、前側縁部７ａに一致するように重なっている。他方の端部２３ｂは、クロッチ域４にまで延びて位置している。前レッグ弾性要素２３には、少なくとも端部２３ａに重なって前ウエスト弾性シート５１が取り付けられている。前ウエスト弾性シート５１の縦方向Ｙ外側には、これに重なることなく第１前ウエスト弾性糸２０が取り付けられている。
【００３６】
クロッチ側縁部７ｃに沿って取り付けられた後レッグ弾性要素２４の一方の端縁２４ａは、後側縁部７ｂに一致するように重なっている。他方の端部２４ｂは、クロッチ域４にまで延びて位置している。後レッグ弾性要素２４の縦方向Ｙ外側には、後ウエスト弾性シート５２が、これに重なることなく取り付けられている。後ウエスト弾性シート５２の縦方向Ｙ外側には、さらに第１後ウエスト弾性糸２２が、これに重なることなく取り付けられている。
【００３７】
上記のような前後レッグ弾性要素２３，２４は、前後ウエスト域２，３をサイドシーム部８で接合した際には、互いに重なり、ウエスト開口側に位置する点Ｒと、レッグ開口側に位置する点Ｓとを有する。前後レッグ弾性要素２３，２４は、点Ｒおよび点Ｓにおいて互いに重なる。
【００３８】
上記のようなおむつ１において、後ウエスト域３の点Ｒよりもウエスト開口側における剛性は０．０４〜０．１０ｇｆ・ｃｍ２／ｃｍであり、点Ｒと点Ｓとの間における剛性は０．１６〜０．２７ｇｆ・ｃｍ２／ｃｍであった。すなわち、点Ｒよりもウエスト開口側では、後レッグ弾性要素２４が配置されていないが、点Ｒと点Ｓとの間では後レッグ弾性要素２４が配置されているから、その分、剛性が大きくなると考えられる。
【００３９】
剛性は、カトーテック（株）製のＫＥＳ  ＦＢ２  ＡＵＴＯ−Ａ用いて測定した。後ウエスト域３の点Ｒからウエスト開口側の領域および点Ｒと点Ｓとの間の領域において、縦方向Ｙ２０ｍｍ×横方向Ｘ５０ｍｍのサンプル片をそれぞれ準備し、チャック間距離１０ｍｍで剛性を測定した。ただし、点Ｒと点Ｓとの間の領域におけるサンプル片は、ここでは、後レッグ弾性要素２４に沿って、仮想縦中心線Ｐ−Ｐに傾斜するようにして準備した。
【００４０】
上記測定では、後ウエスト域３におけるサンプル片を用いているが、前ウエスト域２においても同様の結果が得られる。すなわち、前ウエスト域２においても、点Ｒよりもウエスト開口側における剛性よりも、前レッグ弾性要素２３が重なった点Ｒと点Ｓとの間における剛性のほうが大きくなる。
【００４１】
同様に点Ｒよりもウエスト開口側の領域および点Ｒと点Ｓとの間の領域において、それぞれの領域を横方向Ｘに引っ張ったときの応力を測定した。応力は、（株）島津製作所製オートグラフを用いて測定した。サンプルは、おむつ１の前ウエスト域２を用いた。チャック間を１００ｍｍに設定するとともに、これらチャック間に一方のサイドシーム部８の内側と、他方のサイドシーム部８の内側とが位置するようにセットし、引張速度５００ｍｍ／ｍｉｎで１００ｍｍ引っ張り、そのときの行きの応力と戻りの応力とを測定した。
【００４２】
点Ｒよりもウエスト開口側の領域の応力は、行きが約０．５３Ｎ／２０ｍｍ、戻りが約０．１０Ｎ／２０ｍｍであった。点Ｒと点Ｓとの間の領域の応力は、行きが約０．３８Ｎ／２０ｍｍ、戻りが約０．０４Ｎ／２０ｍｍであった。すなわち、応力は、点Ｒよりもウエスト開口側の領域のほうが、前レッグ弾性要素２３が配置された点Ｒと点Ｓとの間の領域よりも大きくなる結果となった。同様に後ウエスト域３においても、点Ｒよりもウエスト開口側の領域のほうが、後レッグ弾性要素２４が配置された点Ｒと点Ｓとの間の領域よりも大きくなる結果となった。
【００４３】
以上の測定結果から、前後レッグ弾性要素２３，２４が取り付けられた点Ｒと点Ｓとの間の領域の剛性のほうが、点Ｒからウエスト開口側の領域よりも大きいので、第１前後ウエスト弾性糸２０，２２および前後ウエスト弾性シート５１，５２によって、第１および第２外面シート１１，１２が横方向Ｘ内側に収縮されると、剛性の高い前後レッグ弾性要素２３，２４の積層部分では、その収縮量が少なくなる。すなわち、前後レッグ弾性要素２３，２４の積層部分は、これよりも縦方向Ｙの上方に位置する領域に比べて横方向Ｘ外側に広がるようになる（図１参照）。第１および第２外面シート１１，１２は、剛性が変化する境界である前後レッグ弾性要素２３，２４の縦方向Ｙの上端縁を点Ｒとして、点Ｒから縦方向Ｙ下方に向かって広がる。
【００４４】
また、第１前後ウエスト弾性糸２０，２２が取り付けられた領域であって、点Ｒよりもウエスト開口側の領域の横方向Ｘの引っ張り応力は、前後レッグ弾性要素２３，２４が取り付けられた領域であって、点Ｒと点Ｓとの間の領域よりも大きくされているから、点Ｒよりもウエスト開口側の領域が、点Ｒと点Ｓとの間の領域よりも収縮し易く、点Ｒから下方に向かって広がり易くなっている。
【００４５】
特に後ウエスト域３では、後レッグ弾性要素２４と後ウエスト弾性シート５２とは、互いに重なることはないので、後ウエスト弾性シート５２が収縮しても、その収縮力は、後レッグ弾性要素２４が取り付けられた部分に作用し難い。したがって、後レッグ弾性要素２４が取り付けられた前後側縁部７ａ，７ｂの部分は、横方向Ｘ内側に収縮し難く、相対的にみるとよりその外側に広がりやすくなる。
【００４６】
前後レッグ弾性要素２３，２４は、クロッチ側縁部７ｃに沿って湾曲して取り付けられている。このような前後レッグ弾性要素２３，２４の収縮時には、湾曲を直線にするように移動しようとする。そうすると前後レッグ弾性要素２３，２４の一方の端部２３ａ，２４ａは、点Ｒを中心に点Ｓ側を横方向Ｘ外側に回動させるように移動する可能性も考えられる。このように移動した場合には、前後レッグ弾性要素２３，２４は、その幅寸法が約１０ｍｍ〜４０ｍｍと、幅広とされているから、基点Ｒからクロッチ域側の端部までの距離が大きくなり、その広がりが大きくなることも予測される。また、前後レッグ弾性要素２３，２４を幅広とすることによって、より広い面で着用者の鼠蹊部近傍に密着し、尿等の漏れを防止することができ、さらに、クロッチ側縁部７ｃがよれにくく、皺になったりめくれたりするのを防止することができる。
【００４７】
上記のように、前後ウエスト域２，３において第１および第２外面シート１１，１２が横方向Ｘ外側に向かって広がっているので、クロッチ側縁部７ｃによって形成されるレッグ開口が広がって見える。したがって、おむつ１を着用しようとした場合には、脚を挿入する位置が分かり易く、はき易い。また、レッグ開口が広がることによって、クロッチ側縁部７ｃに脚を引っかけたりすることも防止できる。
【００４８】
前後ウエスト弾性シート５１，５２は、質量が２０〜５０ｇ／ｍ２、好ましくは、３０〜４０ｇ／ｍ２、繊維密度が０．０１〜０．０４ｇ／ｃｍ３、好ましくは０．０２５〜０．０３５ｇ／ｃｍ３の範囲である熱融着性のエラストマー繊維からなる伸縮性繊維不織布から形成されていることが好ましい。具体的には、熱可塑性ポリウレタンポリマーと、熱可塑性ポリウレタンポリマー以外の熱可塑性ポリマー、例えば、スチレン系エラストマー、ポリオレフィン系エラストマー、塩ビ系エラストマー、アミド系エラストマー、ポリエチレン、ポリプロピレン、ポリスチレン等のポリオレフィン類のポリマーとの混合からなる繊維を含む混合繊維から形成することができる。
【００４９】
前後ウエスト弾性シート５１，５２をエラストマー繊維と非エラストマー繊維との混合繊維から形成してもよい。この混合繊維を用いると、エラストマー繊維による着用者の肌に対する摩擦を軽減することができる。換言すると、非エラストマー繊維を混合することによって、着用者の肌に対するすべりを向上させ、前後ウエスト弾性シート５１，５２の柔軟性および肌触りを向上させることができる。また、前後ウエスト弾性シート５１，５２の伸縮性を調整することができる。
【００５０】
第１および第２外面シート１１，１２は、質量が１５〜４０ｇ／ｍ２、好ましくは２５〜３５ｇ／ｍ２、繊維密度が０．０３〜０．１０ｇ／ｃｍ３、好ましくは０．０４〜０．０９ｇ／ｃｍ３である熱融着性のスパンボンド繊維不織布から形成されていることが好ましい。第１および第２外面シート１１，１２は、複数層から形成されていてもよい。
【００５１】
前後レッグ弾性要素２３，２４は、質量が２０〜５０ｇ／ｍ２、好ましくは、３０〜４０ｇ／ｍ２、繊維密度が０．０１〜０．０４ｇ／ｃｍ３、好ましくは０．０２５〜０．０３５ｇ／ｃｍ３の範囲である熱融着性のエラストマー繊維からなる伸縮性繊維不織布から形成されていることが好ましい。具体的には、熱可塑性ポリウレタンポリマーと、熱可塑性ポリウレタンポリマー以外の熱可塑性ポリマー、例えば、スチレン系エラストマー、ポリオレフィン系エラストマー、塩ビ系エラストマー、アミド系エラストマー、ポリエチレン、ポリプロピレン、ポリスチレン等のポリオレフィン類のポリマーとの混合からなる繊維を含む混合繊維から形成することができる。さらに、このような伸縮性繊維不織布を延伸処理することによって、伸縮性を向上させることができる。延伸処理としては、伸縮性繊維不織布をギア間に通過させることによって、さらに延伸される部分と延伸されない部分とを形成することによって行うことができる。例えば、前レッグ弾性要素２３は、ギアピッチ約２．８ｍｍで処理し、後レッグ弾性要素２４は、ギアピッチ約４．９ｍｍで処理することができる。ギアピッチが大きくなれば、繊維不織布に生じる皺も大きくなり、肌触りを向上させることができ、ギアピッチが小さくなれば皺も小さくなるので、他のシートとの接着性を向上させることができる。
【００５２】
前後レッグ弾性要素２３，２４は、延伸処理を施すことによって、凹曲状にされたクロッチ側縁部７ｃに沿って湾曲させることが容易となる。すなわち、延伸処理によって伸縮性が向上されているので、湾曲した部分での内側と外側との円弧の差によってたわみが生じるのを防止することができる。したがって、前後レッグ弾性要素２３，２４は、第１および第２外面シート１１，１２から離間することなく、かつ、着用者の身体に密着することができる。
【００５３】
上記のような前後レッグ弾性要素２３，２４は、前後側縁部７ａ，７ｂにおいて、第１および第２外面シート１１，１２とともに、一方の端部２３ａ，２４ａがサイドシーム部８によって接合される。したがって、一方の端部２３ａ，２４ａの抜け止めをすることができる。同様に、第１前後ウエスト弾性糸２０，２２および前後ウエスト弾性シート５１，５２もサイドシーム部８によって、第１および第２外面シート１１，１２に接合される。
【００５４】
＜第２の実施形態＞
図５は、本発明の第２の実施形態に係る使い捨て着用物品の一例として示す、使い捨ておむつ１の斜視図、図６は、おむつ１の一部を示した説明図である。この実施形態では、第１および第２外面シート１１，１２が多数の熱圧着部６０を有すること、および、ウエスト弾性要素としてエラストマー弾性糸によって形成される第２前後ウエスト弾性糸２５，２６をさらに有することを特徴とする。この特徴以外の構成要素については、第１の実施形態と同様であるので、その同様の構成要素については、第１の実施形態と同じ符号を用い、その詳細な説明を省略する。
【００５５】
第２の実施形態において、第１および第２外面シート１１，１２は、熱融着性を有するとともに捲縮するスパンボンドフィラメント繊維から形成されている。第１および第２外面シート１１，１２には、その外面から内面に向かって熱圧着加工が施され、その全面に亘って多数の熱圧着部（デボス）６０が形成されている。熱圧着部６０では、外面シート１１，１２の外面がエンボスロール等によって熱圧着され、捲縮繊維が外面シート１１，１２の厚さ方向へ圧縮されている。多数の熱圧着部６０は、間欠的に連続してラインを形成するように一定の方向に配置され、具体的には、仮想横中心線Ｑ-Ｑに対して傾斜する第１熱圧着ライン６１と、第１熱圧着ライン６１に交差する第２熱圧着ライン６２とを有する。これら第１および第２圧着ライン６１，６２は、第１および第２外面シート１１，１２の全域に形成されているが、図５ではその一部を省略している。
【００５６】
第１および第２外面シート１１，１２の内面には、前後ウエスト弾性シート５１，５２が伸長状態で収縮可能に取り付けられているから、これら前後ウエスト弾性シート５１，５２が収縮することによって、第１および第２外面シート１１，１２が横方向Ｘに収縮し、これら第１および第２外面シート１１，１２には、熱圧着部６０の間において図示しない隆起部が形成される。このような隆起部が形成されることで、第１および第２外面シート１１，１２が嵩高となり、「ふんわりとしたやわらかな感触」を与えることができる。熱圧着部６０としては、ドット状、線状、矩形等、さまざまな形状に設計することが可能である。
【００５７】
図６は、第１および第２外面シート１１，１２を示した図であるが、第１および第２外面シート１１，１２の内面には、第２前後ウエスト弾性糸２５，２６が取り付けられている。第２前後ウエスト弾性糸２５，２６は、少なくともその一部が前後レッグ弾性要素２３，２４と重なり、横方向Ｘに延びるとともに、伸長状態で収縮可能に取り付けられている。第２前後ウエスト弾性糸２５，２６の両端部は、サイドシーム部８に位置されている。第２前後ウエスト弾性糸２５，２６は、第１および第２外面シート１１，１２の前後ウエスト域２，３であって、クロッチ域４との境界近傍に取り付けられ、第１前後ウエスト弾性糸２０，２２とほぼ平行に配置されている。したがって、前後ウエスト域２，３に延出して位置する前後レッグ弾性要素２３，２４の端部２３ａ，２４ａとは重なり、クロッチ域４に位置する端部２３ｂ，２４ｂ側では重なることなく縦方向Ｙに離間されている。
【００５８】
前後ウエスト域２，３において、前後レッグ弾性要素２３，２４と重なった領域では、クロッチ域４に向かって横方向Ｘ外側に広がることは、第１実施形態と同様である。この実施形態では、点Ｒと点Ｓとの間に第２前後ウエスト弾性糸２５，２６が取り付けられるから、点Ｒからの屈曲をなだらかにすることができる。屈曲をなだらかにすることによって、横方向Ｘ外側に広がった部分が引っかかったり邪魔になったりするのを防止することができる。また、少なくとも前後レッグ弾性要素２３，２４の点Ｒ近傍は、第２前後ウエスト弾性糸２６，２６と前後ウエスト弾性シート５１，５２との収縮力によって着用者側に密着させることができるので、前後レッグ弾性要素２３，２４と着用者との間に隙間ができるのを防止し、そこから尿等の排泄物が漏れるのを抑制することができる。
【００５９】
第１および第２実施形態のようなおむつ１において、前後レッグ弾性要素２３，２４として、繊維不織布等の伸縮シートを用いることとしているので、ストランド状の弾性糸を用いる場合に比べてレッグ開口における着用者に対する接触面積を大きくすることができる。このように接触面積を大きくすることによって、着用者の肌の単位面積当たりに対する接触圧を小さくすることができる。第２の実施形態のおむつ１を実施例とし、前後レッグ弾性要素としてストランド状の弾性糸を用いた場合を比較例として、着用者に対する接触圧、着用者のゴム跡の状態、および着用者の唾液中のアミラーゼ活性を測定した。
【００６０】
＜比較例＞
図７は、比較例のおむつ１００の一部破断展開平面図、図８は、おむつ１００の分解斜視図であって、図７および図８は、各弾性要素をその収縮力に抗して伸長させた状態を示したものである。図示したように、比較例のおむつ１００は、着衣側に位置する第１外面シート１１１と、第２外面シート１１２と、第１および第２外面シート１１１，１１２の内側に位置する内面シート１１４とを有する。第１および第２外面シート１１１，１１２と内面シート１１４との間には、着衣側外部から視認可能なグラフィック（図示せず）などが印刷されたグラフィック表示フィルム１１７，１１８が取り付けられている。
【００６１】
第１および第２外面シート１１１，１１２は、縦方向Ｙに離間して配置され、これらの間には、略矩形の繊維不織布シート１１５と、透湿性かつ不透液性のプラスチックシート１１６とが接合された中間シート１１３が配置されている。内面シート１１４は、第１および第２外面シート１１１，１１２および中間シート１１３に重なっている。第１および第２外面シート１１１，１１２および内面シート１１４は、弾性的に非伸縮性のエアスルー繊維不織布によって形成されている。
【００６２】
内面シート１１４の身体側には、吸液構造体１３０が配置され、これら吸液構造体１３０の前後端部１３０ａ，１３０ｂを覆うように、第１および第２外面シート１１１，１１２がその縦方向Ｙの内方へ折り返されている。第１および第２外面シート１１１，１１２と内面シート１１４との間には、複数本のストランド状の前後ウエスト弾性糸１２０，１２２が取り付けられている。前後ウエスト弾性糸１２０，１２２は、横方向Ｘに延びるとともに、伸長状態で収縮可能に取り付けられている。これら前後ウエスト弾性糸１２０，１２２は、吸液構造体１３０と重なる部分においては、その収縮力が作用しないようにされている。また、第１および第２外面シート１１１，１１２と内面シート１１４との間には、第１および第２外面シート１１１，１１２のクロッチ域１０４側の端縁に沿って、複数本のストランド状の前後レッグ弾性糸１２３，１２４が伸長状態で収縮可能に取り付けられている。このようなおむつ１００の両側縁を互いに接合することによって、図１に示したようなおむつ１００とすることができる。
【００６３】
＜接触圧の測定方法＞
実施例および比較例のそれぞれのおむつにおいて、着用者に対する接触圧を測定した。接触圧は、股関節部分が可動可能な幼児型のドールに、実施例および比較例のそれぞれのおむつを着用させることによって測定した。測定は、エアパック式接触圧計（株式会社エイエムアイ・テクノ社製）を用いておこなった。具体的には、２０ｍｍ径のエアパックをドールに付着し、ドールの体位を変化させたときの圧迫状況を接触圧（ｈＰａ）として測定した。エアパックは、実施例においては、前レッグ弾性要素２３と重なる位置であって、かつ、第２前ウエスト弾性糸２５には重ならない位置に取り付けた。具体的には、おむつ１の着用時に点Ａが位置するドールの表面にエアパックを取り付けた。比較例においては、おむつ１００の着用時に点Ｂが位置するドールの表面にエアパックを取り付けた。点Ｂは、実施例のおむつ１の点Ａに対応する位置であって、前レッグ弾性糸１２３および前ウエスト弾性糸１２０と重なる範囲に位置する。
【００６４】
ドールにエアパックを取り付けた後、実施例または比較例のおむつを着用させ、ドールの体位を以下の条件で変化させたときの接触圧を測定している。接触圧は、１秒間に５回測定され、その最大値を各体位における接触圧Ｐｍとしている。接触圧Ｐｍは、それぞれ１０回測定されその平均値を各体位における接触圧Ｐとしている。ドールには、上半身のほぼ中心に体幹軸棒が取り付けられ、大腿部のほぼ中心に大腿軸棒が取り付けられている。
（１）脚上げ
ドールを床に仰向けに寝かせた状態から脚を持ち上げ、これを３回繰り返したときの接触圧Ｐｍを測定した。脚の持ち上げは、床面と大腿軸棒とのなす角度が約１００°であり、持ち上げ速度は約８０°／秒の条件でおこなった。また、一対の大腿軸棒間の角度は約６０°とされている。接触圧Ｐｍは、床と大腿軸棒との角度が約１００°にされる間における最大値をとることとした。
（２）座位
座位とは、床面とドールの体幹軸棒とのなす角度が約９０°になった位置をいう。このときの大腿軸棒間の角度は約３０°とされている。この座位の状態で約５秒間静止させ、このときの最大値を接触圧Ｐｍとしている。
（３）立位
ドールを起立させた状態を立位として接触圧Ｐｍを測定した。立位とは、床と大腿軸棒とのなす角度が約９０°になった位置をいう。このとき、体幹軸棒と床とのなす角度は約１００°とされ、ドールはやや前傾姿勢とされている。この立位の状態で約５秒間静止させ、このときの最大値を接触圧Ｐｍとしている。
（４）歩行
ドールの両脚を交互に歩行させるように動かして、５歩進んだときの接触圧を歩行の接触圧Ｐｍとして測定した。具体的には、上記立位の状態から、一方の大腿軸棒を前方に移動させる。このとき、床面に対する垂直線と一方の大腿軸棒との成す角度が約２０°、垂直線と他方の大腿軸棒とのなす角度が約１０°とされる。次に他方の大腿軸棒を前方に移動させて、他方の大腿軸棒と垂直線とのなす角度が約２０°、一方の大腿軸棒と垂直線とのなす角度が約１０°とされ、これを５回繰り返して歩行状態としている。移動速度は、７０°／秒として、５回繰り返す間の接触圧のピーク５点を取り、この平均値を接触圧Ｐｍとしている。
【００６５】
＜接触圧の測定結果＞
上記（１）〜（４）における測定の結果を表１に示している。表１に示したように、いずれにおいても、比較例に比べて実施例の接触圧Ｐは低減されていることが理解される。エアパックを取り付けた着用者の前側の足付け根部分は、着用者の動きによっておむつのレッグ開口が食い込みやすいが、接触圧が低減されることによって、レッグ開口における着用者に対する刺激を低減することができ、おむつの良好な穿き心地を実現することができる。
【００６６】
【表１】
0005566782.tif 000002
【００６７】
＜ゴム跡の測定方法＞
実施例および比較例のそれぞれのおむつにおいて、着用者の脚回りに対するゴム跡を測定した。ゴム跡の測定は、５名の乳幼児に、実施例および比較例のそれぞれのおむつを着用させることによって測定した。具体的には、就寝時から翌日の測定まで約１５〜１８時間それぞれのおむつを着用させた後、着用者の脚回りであって実施例のおむつ１の点Ａおよび比較例のおむつ１００の点Ｂが対応する部分における着用者の脚回りをデジタルカメラで撮影して、当該部分の肌の紅斑指数を測定した。着用者としては、月齢１６−３５ヶ月の男児２名、女児３名を対象とした。着用者は、おむつを着用した就寝時から測定までの間に、約４回のおむつ交換を行った。おむつ交換は、実施例の測定においては、着用中の実施例のおむつ１から未使用のおむつ１へと交換され、比較例の測定においては、着用中の比較例のおむつ１００から未使用のおむつ１００へと交換される。
【００６８】
紅斑指数は、撮影されたデジタル画像を、ＩｍａｇｅＪ（商標、米国国立衛生研究所製）によって解析することによって求めた。紅斑指数は、皮膚の緑領域（Ｇ）と赤領域（Ｒ）の波長の吸光度差から定義される数値であって、ｌｏｇ（１／Ｇ）−ｌｏｇ（１／Ｒ）＝ｌｏｇＧ−ｌｏｇＲによって対数画像の差を取ることによって求めることができる。
【００６９】
＜ゴム跡の測定結果＞
上記測定の結果を図９に示している。図９（ａ）（ｂ）（ｃ）（ｄ）（ｅ）はそれぞれ、着用者ａ〜ｅが実施例または比較例のおむつを着用した際の紅斑指数の測定結果をグラフにしたものである。着用者の肌における赤色が強いほど、紅斑指数が大きくなり、肌に対する刺激が強いことを表している。図９に示したように、着用者ａ以外の着用者ｂ，ｃ，ｄ，ｅにおいて、比較例よりも実施例において紅斑指数が小さくなり、脚回りの赤みが軽減されていることが理解できる。これは、接触圧が低減されることによって、レッグ開口における着用者に対する刺激を低減することができたことを裏付ける結果となった。
【００７０】
＜アミラーゼ活性の測定方法＞
人体において、ストレス等により交感神経系が刺激されると、唾液中のアミラーゼの量が増加することから、唾液中のアミラーゼ活性を測定することにより、着用者のストレス状態の指標とすることにした。アミラーゼ活性は、酵素分析装置である唾液アミラーゼモニター（ニプロ株式会社製）を用いて測定した。着用者として月齢１６．４±２．９ヶ月の幼児２９人を対象として、アミラーゼ活性を測定した。具体的には、おむつを脱いだ状態で３分間過ごし、実施例または比較例のそれぞれのおむつを着用状態でさらに３分間過ごした後、着用者の唾液中のアミラーゼ活性をそれぞれ測定した。
【００７１】
＜アミラーゼ活性の測定結果＞
測定の結果、比較例のおむつを着用した場合に比べて、実施例のおむつを着用した場合の方が、アミラーゼ活性が低く、交感神経系の刺激が少ないことが分かった。この結果から、実施例のおむつを着用したほうが、着用者に対するストレスが少なく、着用者にとって穿き心地が良好であることが推察できる。
【００７２】
この発明のおむつ１を構成する各構成部材には、本明細書に記載されている材料のほかに、この種の分野において通常用いられている、各種の公知の材料を制限なく用いることができる。また、おむつ１は、前ウエスト域２と、後ウエスト域３と、クロッチ域４とが一連に形成された態様であってもよい。
【００７３】
本発明の明細書および特許請求の範囲において、用語「第１」および「第２」は、同称の要素、位置等を単に区別するために用いられている。さらに、本発明の明細書および特許請求の範囲において、用語「第１ウエスト域」は、前後ウエスト域の一方を意味し、「第２ウエスト域」はその他方を意味する。
【符号の説明】
【００７４】
１    おむつ（使い捨ての着用物品）
２    前ウエスト域（第１又は第２ウエスト域）
３    後ウエスト域（第１又は第２ウエスト域）
４    クロッチ域
８    サイドシーム部
１０    シャーシ
１１    第１外面シート（外面シート）
１２    第２外面シート（外面シート）
２０    第１前ウエスト弾性糸
２２    第１後ウエスト弾性糸
２３    前レッグ弾性要素
２３ａ  一方の端部
２３ｂ  他方の端部
２４    後レッグ弾性要素
２４ａ  一方の端部
２４ｂ  他方の端部
２５    第２前ウエスト弾性糸
２６    第２後ウエスト弾性糸
５１    前ウエスト弾性シート
５２    後ウエスト弾性シート
６０    熱圧着部
【図１】
0005566782.tif 000003
【図２】
0005566782.tif 000004
【図３】
0005566782.tif 000005
【図４】
0005566782.tif 000006
【図５】
0005566782.tif 000007
【図６】
0005566782.tif 000008
【図７】
0005566782.tif 000009
【図８】
0005566782.tif 000010
【図９】
0005566782.tif 000011